(57)【要約】【課題】外部から正規の表示データと補間データとが入力される表示装置において、明フレームおよび暗フレームの両方にオーバドライブ処理を施して動画性能を向上させる。【解決手段】複数のサブピクセルを有する表示パネルと、外部システムから入力される中間階調の表示データを異なる値に変換する第１及び第２変換回路と、前記表示データに対応する映像電圧を前記各サブピクセルへ出力するドライバとを有し、前記外部システムから入力される表示データは、正規の表示データと、前記正規の表示データの間に挿入される補間表示データとで構成され、前記外部システムから入力される正規の表示データと、補間データとにオーバドライブ処理を施すオーバドライブ回路を有し、前記第１の変換回路は、前記オーバドライブ回路でオーバドライブ処理が施された第１表示データを変換し、第２の変換回路は、前記オーバドライブ回路でオーバドライブ処理が施された第２表示データを変換する。【選択図】図３
2008256954.tif 000002
【特許請求の範囲】
【請求項１】
複数のサブピクセルを有する表示パネルと、
外部システムから入力される中間階調の表示データを異なる値に変換する第１及び第２変換回路と、
外部システムからの入力信号に基づき前記表示パネルを駆動するための制御信号を生成する信号生成回路と、
前記表示データに対応する映像電圧を前記各サブピクセルへ出力するドライバとを有し、
前記外部システムから入力される表示データは、正規の表示データと、前記正規の表示データの間に挿入される、前記正規の表示データから補間により生成される補間表示データとで構成される表示装置であって、
前記外部システムから入力される前記正規の表示データと前記補間表示データとにオーバドライブ処理を施すオーバドライブ回路を有し、
連続する２フレーム期間を１単位として、前記連続する２フレーム期間内に前記外部システムから入力される表示データを第１表示データと、第２表示データとするとき、前記第１の変換回路は、前記オーバドライブ回路でオーバドライブ処理が施された前記第１表示データを変換し、
前記第２の変換回路は、前記オーバドライブ回路でオーバドライブ処理が施された前記第２表示データを変換し、
前記外部システムから入力される表示データが中間階調である場合に、変換後の前記第２表示データによる輝度は、変換後の前記第１表示データによる輝度よりも低いことを特徴とする表示装置。
【請求項２】
前記ドライバは、前記連続する２フレーム期間の１番目のフレーム期間に、変換後の第１の表示データに対応する第１映像電圧を前記各サブピクセルへ出力し、前記連続する２フレーム期間の２番目のフレーム期間に、変換後の第２表示データに対応する第２映像電圧を前記各サブピクセルへ出力することを特徴とする請求項１に記載の表示装置。
【請求項３】
前記現フレームの表示データと、前記１つ前のフレームの表示データとを保持するフレームメモリを有し、
前記オーバドライブ回路は、現フレームの表示データと、１つ前のフレームの表示データとの差分に基づき、前記第１表示データおよび前記第２表示データに施すオーバドライブ処理の補正量を決定することを特徴とする請求項１または請求項２に記載の表示装置。
【請求項４】
前記第１表示データは、前記正規の表示データであり、
前記第２表示データは、前記補間表示データであることを特徴とする請求項１ないし請求項３のいずれか１項に記載の表示装置。
【請求項５】
前記各サブピクセルは、連続する２つのフレーム期間内に２つの階調を表示することにより、外部システムから要求された１つの階調を表示し、
前記外部システムから要求された階調が最大階調と最小階調との間の中間階調のうちの低階調側に含まれる場合に、前記連続する２つのフレーム期間内の２つの階調の一方は最小階調であり、前記連続する２つのフレーム期間内の２つの階調の他方は前記外部システムから要求された階調に応じて変化し、
前記外部システムから要求された階調が前記中間階調のうちの高階調側に含まれる場合に、前記連続する２つのフレーム期間内の２つの階調の一方は前記外部システムから要求された階調に応じて変化し、前記連続する２つのフレーム期間内の２つの階調の他方は前記最大階調であることを特徴とする請求項１ないし請求項４のいずれか１項に記載の表示装置。
【請求項６】
前記外部システムから要求された階調が最大階調である場合に、前記連続する２つのフレーム期間内の２つの階調は共に前記最大階調であることを特徴とする請求項５に記載の表示装置。
【請求項７】
前記外部システムから要求された階調の前記低階調側と前記高階調側の境界は、前記連続する２つのフレーム期間内の２つの階調の一方を前記最小階調とし他方を前記最大階調として得られる階調であることを特徴とする請求項５に記載の表示装置。
【発明の詳細な説明】
【技術分野】
【０００１】
本発明は、液晶表示装置、有機ＥＬ（Electro Luminescence）ディスプレイやＬＣＯＳ（Liquid Crystal On Silicon）ディスプレイのようなホールド型の表示装置に係り、特に、動画表示に適した表示装置に関する。
【背景技術】
【０００２】
ディスプレイ装置を、特に動画表示の観点で分類した場合、インパルス応答型ディスプレイ装置とホールド応答型ディスプレイ装置とに大別される。インパルス応答型ディスプレイ装置とは、ブラウン管の残光特性のように、輝度応答が走査直後から低下するタイプであり、ホールド応答型ディスプレイとは、液晶ディスプレイ装置のように、表示データに基づく輝度を次の走査まで保持し続けるタイプである。
ホールド応答型ディスプレイ装置の特徴としては、静止画の場合はちらつきのない良好な表示品質を得ることができるが、動画の場合には移動する物体の周囲がぼやけて見える、所謂、動画ぼやけが発生し、著しく表示品質が低下するという課題がある。
この動画ぼやけの発生要因は、物体の移動に伴い視線を移動する際、輝度のホールドされた表示画像に対して移動前後の表示イメージを観測者が補間する、所謂、網膜残像に起因するため、表示ディスプレイ装置の応答速度をどれだけ向上させても動画ぼやけは完全に解消しない。
これを解決するためには、より短い周波数で表示画像を更新するか、黒画面などの挿入によって一旦網膜残像をキャンセルすることで、インパルス応答型ディスプレイ装置に近づける方法が有効である。
【０００３】
インパルス応答型ディスプレイ装置に近づける方法として、外部システムから要求された階調が低階調側である場合に、所定の階調と最小階調とを切り替えて表示することにより、外部システムから要求された階調を擬似的に表示する方法（以下、ＦＢＩ駆動方法と称する）が知られている。（下記、特許文献１参照）
ＦＢＩ駆動方法では、各サブピクセルが複数の階調を表示することにより外部システムから要求される階調を擬似的に表示する。そして、外部システムから要求される階調が中間低階調である場合に、複数の階調の少なくとも１つの階調は最小階調（最小輝度）とし、外部システムから要求された階調が中間高階調である場合に、複数の階調の他の少なくとも１つの階調は最大階調（最大輝度）とする。
つまり、外部システムから要求された階調が低階調側である場合に、所定の階調と最小階調とを切り替えて表示することにより、外部システムから要求された階調を擬似的に表示する。
一方、外部システムから要求された階調が高階調側である場合に、所定の階調と最大階調とを切り替えて表示することにより、外部システムから要求された階調を擬似的に表示する。
【０００４】
なお、本願発明に関連する先行技術文献としては以下のものがある。
【特許文献１】特開２００６−３４３７０６号公報
【発明の開示】
【発明が解決しようとする課題】
【０００５】
図６は、従来のＦＢＩ駆動方法を説明するための図である。なお、図６は、矢印Ａの方向に、灰色の物体が移動した時の状態を示す図であり、図６において、ＦＭＤ、ＦＲＤは、１フレーム内の１表示ライン上のサブピクセルの輝度を表し、破線矢印は時間経過を示す。
図６（ａ）に示すように、液晶表示モジュールには、外部から６０Ｈｚフレームの表示データが入力され、この６０Ｈｚフレームの表示データは、フレームメモリに格納される。このフレームメモリに格納された６０Ｈｚフレームの表示データを、１フレーム内に２度読み出すことにより、図６（ｂ）に示すように、６０Ｈｚの２倍の１２０Ｈｚフレームの表示データを作成する。
これに、図６（ｃ）に示すように、オーバードライブ（ＯＤ）処理を施す。なお、図６では、オーバードライブが施された表示データに対応するサブピクセルを太線枠で図示している。
最後に、図６（ｄ）に示すように、ＦＢＩ処理により、１２０Ｈｚフレームの始めの表示データを、明フレーム用の表示データに、１２０Ｈｚフレームの次の表示データを暗フレーム用の表示データに変換する。
これにより、特に、低階調で黒挿入５０％のインパルス駆動とし、動画の画質を改善することができる。この場合に、暗フレームのときには、ＯＤ係数を「０」として、動画の画質改善のためのオーバードライブ処理を明フレームにのみ実施している。
【０００６】
前述したように、従来は、入力される６０Ｈｚフレームの表示データを２倍の周波数にするために、フレームメモリが必要となるが、低コスト化を図る手法の一つとして、フレームメモリを削減することが有効である。
このフレームメモリを削減し、さらに、動画性能を向上させるために、外部から入力する表示データを、６０Ｈｚの２倍の１２０Ｈｚフレームの表示データとし、かつ、１２０Ｈｚ表示データを、正規の表示データと、正規の表示データの間に挿入されるベクトル補間データとすることが想定される。
しかしながら、従来のＦＢＩ処理では、明フレームにのみオーバドライブ処理を施しているので、外部から入力する表示データが、正規の表示データと、正規の表示データの間に挿入されるベクトル補間データの場合には、輝度断面プロファイルに浪打ち現象が生じ、動画性能が低下するという問題点があった。
本発明は、前記従来技術の問題点を解決するためになされたものであり、本発明の目的は、外部から正規の表示データと、正規の表示データの間に挿入される補間データとが入力される表示装置において、明フレームおよび暗フレームの両方にオーバドライブ処理を施して動画性能を向上させることにある。
本発明の前記ならびにその他の目的と新規な特徴は、本明細書の記述及び添付図面によって明らかにする。
【課題を解決するための手段】
【０００７】
本願において開示される発明のうち、代表的なものの概要を簡単に説明すれば、下記の通りである。
（１）複数のサブピクセルを有する表示パネルと、外部システムから入力される中間階調の表示データを異なる値に変換する第１及び第２変換回路と、外部システムからの入力信号に基づき前記表示パネルを駆動するための制御信号を生成する信号生成回路と、前記表示データに対応する映像電圧を前記各サブピクセルへ出力するドライバとを有し、前記外部システムから入力される表示データは、正規の表示データと、前記正規の表示データの間に挿入される、前記正規の表示データから補間により生成される補間表示データとで構成される表示装置であって、前記外部システムから入力される前記正規の表示データと前記補間表示データとにオーバドライブ処理を施すオーバドライブ回路を有し、連続する２フレーム期間を１単位として、前記連続する２フレーム期間内に前記外部システムから入力される表示データを第１表示データと、第２表示データとするとき、前記第１の変換回路は、前記オーバドライブ回路でオーバドライブ処理が施された前記第１表示データを変換し、前記第２の変換回路は、前記オーバドライブ回路でオーバドライブ処理が施された前記第２表示データを変換し、前記外部システムから入力される表示データが中間階調である場合に、変換後の前記第２表示データによる輝度は、変換後の前記第１表示データによる輝度よりも低い。
【０００８】
（２）（１）において、前記ドライバは、前記連続する２フレーム期間の１番目のフレーム期間に、変換後の第１の表示データに対応する第１映像電圧を前記各サブピクセルへ出力し、前記連続する２フレーム期間の２番目のフレーム期間に、変換後の第２表示データに対応する第２映像電圧を前記各サブピクセルへ出力する。
（３）（１）または（２）において、前記現フレームの表示データと、前記１つ前のフレームの表示データとを保持するフレームメモリを有し、前記オーバドライブ回路は、現フレームの表示データと、１つ前のフレームの表示データとの差分に基づき、前記第１表示データおよび前記第２表示データに施すオーバドライブ処理の補正量を決定する。
（４）（１）ないし（３）の何れかにおいて、前記第１表示データは、前記正規の表示データであり、前記第２表示データは、前記補間表示データである。
【０００９】
（５）（１）ないし（４）の何れかにおいて、前記各サブピクセルは、連続する２つのフレーム期間内に２つの階調を表示することにより、外部システムから要求された１つの階調を表示し、前記外部システムから要求された階調が最大階調と最小階調との間の中間階調のうちの低階調側に含まれる場合に、前記連続する２つのフレーム期間内の２つの階調の一方は最小階調であり、前記連続する２つのフレーム期間内の２つの階調の他方は前記外部システムから要求された階調に応じて変化し、前記外部システムから要求された階調が前記中間階調のうちの高階調側に含まれる場合に、前記連続する２つのフレーム期間内の２つの階調の一方は前記外部システムから要求された階調に応じて変化し、前記連続する２つのフレーム期間内の２つの階調の他方は前記最大階調である。
（６）（５）において、前記外部システムから要求された階調が最大階調である場合に、前記連続する２つのフレーム期間内の２つの階調は共に前記最大階調である。
（７）（５）において、前記外部システムから要求された階調の前記低階調側と前記高階調側の境界は、前記連続する２つのフレーム期間内の２つの階調の一方を前記最小階調とし他方を前記最大階調として得られる階調である。
【発明の効果】
【００１０】
本願において開示される発明のうち代表的なものによって得られる効果を簡単に説明すれば、下記の通りである。
本発明によれば、外部から正規の表示データと、正規の表示データの間に挿入される補間データとが入力される表示装置において、明フレームおよび暗フレームの両方にオーバドライブ処理を施して動画性能を向上させることが可能となる。
【発明を実施するための最良の形態】
【００１１】
以下、図面を参照して本発明の実施例を詳細に説明する。
なお、実施例を説明するための全図において、同一機能を有するものは同一符号を付け、その繰り返しの説明は省略する。
図１は、本発明の実施例の液晶表示モジュールの概略構成を示すブロック図である。
本実施例の液晶表示モジュールは、液晶表示パネル１と、ドレインドライバ２と、ゲートドライバ３と、タイミング生成回路４と、表示データ変換回路５、階調電圧生成回路６とで構成される。
ドレインドライバ２と、ゲートドライバ３は、液晶表示パネル１の周辺部に設置される。ゲートドライバ３は、液晶表示パネル１の一辺に配置された複数のゲートドライバＩＣから構成される。また、ドレインドライバ２は、液晶表示パネル１の他の辺に配置された複数のドレインドライバＩＣから構成される。
タイミング生成回路４は、外部システム（例えば、ＴＶ本体やＰＣ本体、携帯電話本体）から入力される、１フレーム期間（１画面分を表示する期間）を規定する垂直同期信号（Ｖｓｙｎｃ）、１水平走査期間（１ライン分を表示する期間）を規定する水平同期信号（Ｈｓｙｎｃ）、表示データの有効期間を規定するディスプレイタイミング信号（ＤＩＳＰ）、及び表示データと同期した基準クロック信号（ＤＣＬＫ）に基づき、ゲートドライバ３、ドレインドライバ２を駆動する。
【００１２】
図１において、ＤＬは、映像線（ドレイン線、ソース線ともいう）、ＧＬは走査線（ゲート線ともいう）、ＰＸは各色（赤、緑、青）の画素電極であり、ＣＴは対向電極（コモン電極ともいう）、ＬＣは液晶層を等価的に示す液晶容量、Ｃａｄｄは、対向電極（ＣＴ）と画素電極（ＰＸ）の間に形成された保持容量である。
本実施例の液晶表示パネル１において、列方向に配置された各サブピクセルの薄膜トランジスタ（ＴＦＴ）のドレイン電極は、それぞれ映像線（ＤＬ）に接続され、各映像線（ＤＬ）は列方向に配置されたサブピクセルに、表示データに対応する映像電圧を供給するドレインドライバ２に接続される。
また、行方向に配置された各サブピクセルにおける薄膜トランジスタ（ＴＦＴ）のゲート電極は、それぞれ走査線（ＧＬ）に接続され、各走査線（ＧＬ）は、１水平走査時間、薄膜トランジスタ（ＴＦＴ）のゲートに走査電圧（正または負のバイアス電圧）を供給するゲートドライバ３に接続される。
ゲートドライバ３は、タイミング生成回路４の制御の基に走査線（ＧＬ）に走査電圧を供給し、また、ドレインドライバ２は、タイミング生成回路４の基に映像線（ＤＬ）に映像電圧（即ち、階調電圧生成回路６で生成された階調電圧の中で、表示データに対応する電圧）を供給して映像を表示する。
液晶表示パネル１に画像を表示する際、ゲートドライバ３は、上から下（あるいは、下から上）に向かって、走査線（ＧＬ）に順次選択走査電圧を供給して走査線（ＧＬ）を選択し、一方で、ある走査線（ＧＬ）の選択期間中に、ドレインドライバ２は、表示データに対応する映像電圧を、映像線（ＤＬ）に供給し、画素電極（ＰＸ）に印加する。
映像線（ＤＬ）に供給された電圧は、薄膜トランジスタ（ＴＦＴ）を経由して、画素電極（ＰＸ）に印加され、最終的に、保持容量（Ｃａｄｄ）と、液晶容量（ＬＣ）に電荷がチャージされ、液晶分子をコントロールすることにより画像が表示される。
【００１３】
図２は、図１に示す表示データ変換回路５の概略構成を示すブロック図である。図２において、５１はオーバードライブ処理回路、５２はＦＢＩ処理回路である。
オーバードライブ処理回路５１は、明フレーム用のオーバードライブ補正量を格納するルックアップテーブル２１１と、暗フレーム用のオーバードライブ補正量を格納するルックアップテーブル２１２と、セレクタ２１３と、メモリ２１４と、演算回路２１５とで構成される。なお、明フレームと暗フレームについては後述する。
本実施例では、外部から、１２０Ｈｚフレーム毎に、正規の表示データと、正規の表示データの間に挿入される、正規の表示データからベクトル補間により生成される補間表示データとが入力される。この外部から１２０Ｈｚフレーム毎に入力される表示データは、メモリ２１４に順番に格納される。
メモリ２１４から読み出された現フレームの一つ前の表示データ２０３と、現フレームの表示データ２０４とは演算回路２１５に入力され、演算回路２１５は、表示データ２０３と表示データ２０４とを比較し、読み出しアドレス２０１を生成し、オーバードライブ補正量を、ルックアップテーブル２１１とルックアップテーブル２１２から読み出す。
ルックアップテーブル２１１から読み出されたオーバードライブ補正量と、ルックアップテーブル２１２から読み出されたオーバードライブ補正量は、切替信号（ＲＰＳ）により制御されるセレクタ２１３に基づき、どちらか一方のオーバードライブ補正量２０２が演算回路２１５に入力される。演算回路２１５は、表示データ２０４にオーバードライブ補正量２０２を加算、あるいは表示データ２０４からオーバードライブ補正量２０２を減算して、現フレームの表示データ２０４にオーバドライブ処理を施す。
【００１４】
ＦＢＩ処理回路５２は、明フレーム用のＦＢＩ設定値を格納するルックアップテーブル２１６と、暗フレーム用のＦＢＩ設定値を格納するルックアップテーブル２１７と、セレクタ２１８と、演算回路２１９とで構成される。
前述したように、本実施例では、外部から、１２０Ｈｚフレーム毎に正規の表示データと、補間表示データとが入力される。ここで、連続する２フレーム期間を１単位として、連続する２フレーム期間内に前記外部システムから１番目に入力される表示データを第１表示データ、２番目に入力される表示データを第２表示データとし、第１表示データは明フレーム用の表示データ、第２表示データは暗フレーム用の表示データとする。
演算回路２１５から出力された表示データは、演算回路２１９に入力される。演算回路２１９は、演算回路２１５から出力された表示データに対応するＦＢＩ設定値２０６を、ルックアップテーブル２１６とルックアップテーブル２１７から読み出す。ルックアップテーブル２１６から読み出されたＦＢＩ設定値とルックアップテーブル２１７から読み出されたＦＢＩ設定値は、切替信号（ＲＰＳ）により制御されるセレクタ２１８に基づき、どちらか一方のＦＢＩ設定値が演算回路２１９に入力され、明フレーム用の表示データ、あるいは、暗フレーム用の表示データに変換される。
【００１５】
図７は、外部から、１２０Ｈｚフレーム毎に正規の表示データと、補間表示データとが入力される場合に、暗フレームにオーバドライブ処理を施さないときのＦＢＩ駆動方法を説明するための図である。なお、図７は、矢印Ａの方向に、灰色の物体が移動した時の状態を表すであり、図７において、ＦＲＤは、１フレームの１表示ライン上のサブピクセルの輝度を表し、破線矢印は時間経過を示す。
図７（ｅ）に示すように、液晶表示モジュールには、外部から、６０Ｈｚの２倍周期の１２０Ｈｚフレーム期間毎に、正規の表示データと、補間表示データとが入力される。前述したように、１番目に入力される表示データを第１表示データ、２番目に入力される表示データを第２表示データとし、第１表示データは明フレーム用の表示データ、第２表示データは暗フレーム用の表示データとする。
そして、図７（ｆ）に示すように、第１表示データにオーバードライブ（ＯＤ）処理を施す。なお、図７では、オーバードライブが施された表示データに対応するサブピクセルを太線枠で図示している。また、オーバードライブ（ＯＤ）処理は、明フレーム用の第１表示データのみに施される。
次に、ＦＢＩ処理を実行する。しかしながら、図７に示すＦＢＩ処理では、図７（ｇ）の輝度断面プロファイルに示すように、明フレームのオーバドライブ処理による、パターンエッジの輝度上昇と、その隣（図中、点線丸で囲んだ部分）にオーバドライブ処理が施されないために輝度が低下した、浪打ち現象が生じ、動画性能が劣化する。なお、図７（ｇ）の輝度断面プロファイルにおいて、横軸は距離、縦軸は輝度を表す。
【００１６】
図３は、本実施例のＦＢＩ駆動方法を説明するための図である。なお、図３は、矢印Ａの方向に、灰色の物体が移動した時の状態を表すものであり、図３において、ＦＲＤは、１フィルドの１表示ライン上のサブピクセルの輝度を表し、破線矢印は時間経過を示す。
本実施例でも、図３（ｈ）に示すように、液晶表示モジュールには、外部から、６０Ｈｚの２倍周期の１２０Ｈｚフレーム期間毎に、正規の表示データと、補間表示データとが入力される。
そして、図３（ｉ）に示すように、第１表示データと第２表示データの両方にオーバードライブ（ＯＤ）処理を施す。なお、図３では、オーバードライブが施された表示データに対応するサブピクセルを太線枠で図示している。
次に、ＦＢＩ処理を実行するが、本実施例では、第１表示データと第２表示データの両方にオーバードライブ（ＯＤ）処理を施すので、本実施例のＦＢＩ処理では、図３（ｊ）の輝度断面プロファイルに示すように、浪打ち現象が発生せず、動画性能を向上させることができる。なお、図３（ｇ）の輝度断面プロファイルにおいて、横軸は距離、縦軸は輝度を表す。
【００１７】
以下、本実施例のＦＢＩ処理について簡単に説明する。
図４は、横軸を入力表示データ（Ｄｉｎ）、縦軸を明フレーム用の表示データ（Ｄｌｉｇｈｔ）及び暗フレーム用の表示データ（Ｄｄａｒｋ）とし、入力表示データから明フレーム用の表示データ及び暗フレーム用の表示データへの変換特性を示す図である。
本実施例において、図４のＡに示す変換特性が施された表示データにより画像を表示するフレームを明フレーム、図４のＢに示す変換特性が施された表示データにより画像を表示するフレームを暗フレームとする。また、一般に、液晶表示パネルは、液晶印加電圧Ｖに応じて静的輝度Ｔが変化するが、その輝度が最小となるＴｍｉｎと、最大となるＴｍａｘを有する。
本実施例における変換アルゴリズムは、明フレームと暗フレームを合わせて入力表示データに対応した目視輝度を実現し、且つ暗フレームはできるだけ、液晶表示パネルのＴｍｉｎとなる動的輝度を得ること、入力表示データが最も明るくなる２５６階調の場合の静的輝度はＴｍａｘと同等であることを条件とする。
暗フレームの動的輝度が小さいほど、暗フレームの動的輝度が小さい範囲が大きいほど動画ぼやけを低減できる。よって、暗フレームはＴｍｉｎであるのが好ましいが、Ｔｍｉｎよりも少し高い輝度であってもよい。暗フレームの動的輝度がＴｍｉｎである範囲は、０階調から明フレームの動的輝度をＴｍａｘとし、暗フレームの動的輝度をＴｍｉｎとして得られる目視輝度に対応する入力表示データの階調までの範囲である。但し、明フレームの動的輝度をＴｍａｘとし暗フレームの動的輝度をＴｍｉｎとして得られる目視輝度に対応する入力表示データの階調よりも少し小さい階調までであってもよい。
また、明フレームの動的輝度がＴｍａｘである範囲は、明フレームの動的輝度をＴｍａｘとし暗フレームの動的輝度をＴｍｉｎとして得られる目視輝度に対応する入力表示データの階調から２５６階調までの範囲である。但し、明フレームの動的輝度をＴｍａｘとし暗フレームの動的輝度をＴｍｉｎとして得られる目視輝度に対応する入力表示データの階調よりも少し小さい階調からであってもよい。
【００１８】
表示ディスプレイは人間の目視で各階調間の輝度差が等間隔に近いことが望ましく、一般に２５６階調の場合、液晶駆動用の表示データＤと静的輝度Ｔとの関係は、下記（１）式の、所謂、ガンマカーブを満足するよう設計される。
［数１］
（静的輝度Ｔ）＝（液晶駆動データＤ／２５５）＾γ    ・・・    （１）
尚、γ＝２．２が用いられることが一般的であることから、以下γ＝２．２として説明する。
液晶表示パネル１の立上り時間Ｔｒ、立下り時間Ｔｆが共に０と仮定すると、表示輝度は下記（２）式のように近似できる。
［数２］
表示輝度＝（明フレームの静的輝度Ｔ）／２＋（暗フレームの静的輝度Ｔ）／２
・・・・・・・・・・・・・・・・  （２）
入力表示データをＤｉｎ、明フレームの表示データをＤｌｉｇｈｔ、暗フレームの表示データをＤｄａｒｋとすると、（１）式、（２）式からγ＝２．２において、下記（３）式となり、図４の実線で示される特性が得られる。
【００１９】
【数３】
2008256954.tif 000003
・・・・・・・・・・・・・・・・  （３）
【００２０】
なお、２１６，２１７のルックアップテーブルは、必ずしも全ての入力表示データ（Ｄｉｎ）に対するテーブル値を持つ必要はなく、階調間でのリニアリティが十分満足されれば、例えば、図５に示すように、１６階調毎のテーブルを用意しておき、その間の階調に関しては、線形補間等といった補間によって変換表示データを生成してもよい。これによって変換テーブルのサイズを小さくすることが可能となる。
なお、前述までの説明では、本発明を液晶表示モジュールに適用した実施例について説明したが、本発明は、有機ＥＬ（Electro Luminescence）ディスプレイやＬＣＯＳ（Liquid Crystal On Silicon）ディスプレイのようなホールド型表示装置にも適用可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２１】
【図１】本発明の実施例の液晶表示モジュールの概略構成を示すブロック図である。
【図２】図１に示す表示データ変換回路５の概略構成を示すブロック図である。
【図３】本発明の実施例の液晶表示モジュールのＦＢＩ駆動方法を説明するための図である。
【図４】本発明の実施例の液晶表示モジュールにおいて、入力表示データから明フレーム用の表示データ及び暗フレーム用の表示データへの変換特性を示す図である。
【図５】図２に示すルックアップテーブルの他の例を示す図である。
【図６】従来のＦＢＩ駆動方法を説明するための図である。
【図７】暗フレームにオーバドライブ処理を施さないときのＦＢＩ駆動方法を説明するための図である。
【符号の説明】
【００２２】
１  液晶表示パネル
２  ドレインドライバ
３  ゲートドライバ
４  タイミング生成回路
５  表示データ変換回路
６  階調電圧生成回路
５１  オーバードライブ処理回路
５２  ＦＢＩ処理回路
２１１，２１２，２１６，２１７  ルックアップテーブル
２１３，２１８  セレクタ
２１４  メモリ
２１５，２１９  演算回路
ＤＬ  映像線（ドレイン線、ソース線）
ＧＬ  走査線（ゲート線）
ＰＸ  画素電極
ＣＴ  対向電極（コモン電極）
ＬＣ  液晶容量
Ｃａｄｄ  保持容量
ＴＦＴ  薄膜トランジスタ
【図１】
2008256954.tif 000004
【図２】
2008256954.tif 000005
【図３】
2008256954.tif 000006
【図４】
2008256954.tif 000007
【図５】
2008256954.tif 000008
【図６】
2008256954.tif 000009
【図７】
2008256954.tif 000010